(57)【要約】【課題】画質の劣化を抑制できる視差バリア及び画像表示装置を提供すること。【解決手段】第１画素３１及び第２画素３２がそれぞれ複数配列された表示手段（液晶パネル）３と組み合わされ、第１画素３１により表示された第１画像と第２画素３２により表示された第２画像とを分離する視差バリア（ステップバリア）４Ａであって、第１画素３１及び第２画素３２に応じてそれぞれ配置され、第１画素３１から第１視方向に沿って出射された光、及び、第２画素３２から第１視方向とは異なる第２視方向に沿って出射された光を透過させる複数の第１透過部４３と、第１画素３１から第１視方向とは異なる方向に出射された光、及び、第２画素３２から第２視方向とは異なる方向に出射された光を遮断する遮光部と、当該遮光部に形成され、表示手段３から入射される光の少なくとも一部を透過させる複数の第２透過部４４Ａと、を有する。【選択図】図４
2011170241.tif 000002
【特許請求の範囲】
【請求項１】
第１画素及び第２画素がそれぞれ複数配列された表示手段と組み合わされ、前記第１画素により表示された第１画像と前記第２画素により表示された第２画像とを分離する視差バリアであって、
前記第１画素及び前記第２画素に応じてそれぞれ配置され、前記第１画素から第１視方向に沿って出射された光、及び、前記第２画素から前記第１視方向とは異なる第２視方向に沿って出射された光を透過させる複数の第１透過部と、
前記第１画素から前記第１視方向とは異なる方向に出射された光、及び、前記第２画素から前記第２視方向とは異なる方向に出射された光を遮断する遮光部と、
前記遮光部に形成され、前記表示手段から入射される光の少なくとも一部を透過させる複数の第２透過部と、
を有することを特徴とする視差バリア。
【請求項２】
請求項１に記載の視差バリアにおいて、
前記第２透過部は、前記複数の第１透過部間に形成されていることを特徴とする視差バリア。
【請求項３】
請求項２に記載の視差バリアにおいて、
前記第２透過部は、隣り合う複数の前記第１透過部を接続していることを特徴とする視差バリア。
【請求項４】
請求項２又は請求項３に記載の視差バリアにおいて、
前記第２透過部は、行方向に沿って延出していることを特徴とする視差バリア。
【請求項５】
請求項２から請求項４のいずれかに記載の視差バリアにおいて、
前記第２透過部は、列方向に沿って延出していることを特徴とする視差バリア。
【請求項６】
請求項２又は請求項３に記載の視差バリアにおいて、
前記第２透過部は、行方向及び列方向にそれぞれ交差する方向に沿って延出していることを特徴とする視差バリア。
【請求項７】
請求項１から請求項６のいずれかに記載の視差バリアにおいて、
前記第２透過部を透過する光量は、前記第１透過部を透過する光量より少ないことを特徴とする視差バリア。
【請求項８】
請求項１から請求項７のいずれかに記載の視差バリアにおいて、
前記第２透過部は、前記表示手段から入射される光を回折させて透過させることを特徴とする視差バリア。
【請求項９】
第１画像を表示する第１画素、及び、第２画像を表示する第２画素がそれぞれ複数配列された表示手段と、
当該表示手段と組み合わせて用いられ、前記第１画像及び前記第２画像を分離する請求項１から請求項８のいずれかに記載の視差バリアと、
を備えることを特徴とする画像表示装置。
【発明の詳細な説明】
【技術分野】
【０００１】
本発明は、視差バリア及び画像表示装置に関する。
【背景技術】
【０００２】
従来、表示パネルと、当該表示パネルにて形成された第１画像及び第２画像を分離する視差バリア（パララックスバリア）とを備えた指向性表示方式の画像表示装置が知られている（例えば、特許文献１参照）。
この特許文献１に記載の画像表示装置では、表示パネルは、それぞれ異なる画像を表示する第１画素及び第２画素が、列方向及び行方向にそれぞれ交互に複数配列されている。一方、視差バリアは、表示パネルから出射された光を遮断する遮光部と、当該光を透過させる複数の透過部（開口部）とを有する。
【０００３】
このような視差バリアは、表示パネルの第１画素から出射された第１画像の光を第１視方向に向けると共に、第２画素から出射された第２画像の光を第２視方向に向けることで、当該第１画像及び第２画像を分割し、それぞれ異なる方向に表示する障壁として機能する。具体的に、視差バリアは、第１画像としての右目用画像を観察者の右目に入射させ、第２画像としての左目用画像を観察者の左目に入射させて、観察者がこれら右目用画像及び左目用画像を視認することで、視差により立体画像が観察されることとなる。
【先行技術文献】
【特許文献】
【０００４】
【特許文献１】特許第３０９６６１３号公報
【発明の概要】
【発明が解決しようとする課題】
【０００５】
しかしながら、前述の特許文献１に記載の画像表示装置では、第１画素及び第２画素から出射された光のうち、第１視方向及び第２視方向以外の方向に出射された光は、遮光部により遮断されてしまうため、透過部を介して観察される画素の輝度と、遮光部により遮光されている部分の輝度との差が大きい。このため、スジ状の干渉縞（モアレ）を認識しやすくなってしまい、表示画像が劣化するという問題がある。
【０００６】
本発明の目的は、画質の劣化を抑制できる視差バリア及び画像表示装置を提供することである。
【課題を解決するための手段】
【０００７】
前記した目的を達成するために、本発明の視差バリアは、第１画素及び第２画素がそれぞれ複数配列された表示手段と組み合わされ、前記第１画素により表示された第１画像と前記第２画素により表示された第２画像とを分離する視差バリアであって、前記第１画素及び前記第２画素に応じてそれぞれ配置され、前記第１画素から第１視方向に沿って出射された光、及び、前記第２画素から前記第１視方向とは異なる第２視方向に沿って出射された光を透過させる複数の第１透過部と、前記第１画素から前記第１視方向とは異なる方向に出射された光、及び、前記第２画素から前記第２視方向とは異なる方向に出射された光を遮断する遮光部と、前記遮光部に形成され、前記表示手段から入射される光の少なくとも一部を透過させる複数の第２透過部と、を有することを特徴とする。
【０００８】
ここで、例えば、表示手段の第１画素が第１画像として右目用画像を表示し、第２画素が第２画像として左目用画像を表示する場合には、視差バリアは、右目用画像が観察者の右目に入射される方向を第１視方向として当該右目用画像を分離し、また、左目用画像が観察者の左目に入射される方向を第２視方向として当該左目用画像を分離する。
本発明によれば、遮光部に形成された第２透過部を介して、当該遮光部により遮光されるはずの光の少なくとも一部が透過する。すなわち、第１透過部とは別に遮光部に形成された第２透過部を介して、第１画像を観察可能な位置で、第２画像を形成する光の一部が観察され、また、第２画像を観察可能な位置で、第１画像を形成する光の一部が観察される。これによれば、第２透過部が設けられていない場合に比べ、遮光部により遮光される領域を小さくすることができるほか、当該領域のピッチを小さくすることができるので、第１透過部を介して視認される画素の輝度と、遮光部により遮光される領域の輝度との差を小さくすることができ、モアレを視認させづらくすることができる。従って、表示画像の画質劣化を抑制できる。
【０００９】
本発明では、前記第２透過部は、前記複数の第１透過部間に形成されていることが好ましい。
本発明によれば、複数の第１透過部間に、本来遮光部により遮光される第１画像及び第２画像光の一部が視認される第２透過部が形成される。これによれば、各画像の光が観察される領域の数を増加できるので、見た目上の画像の精細感を向上できる。
【００１０】
本発明では、前記第２透過部は、隣り合う複数の前記第１透過部を接続していることが好ましい。
本発明によれば、複数の第１透過部と第２透過部とを１つの透過部として形成することができるので、これら第１透過部及び第２透過部を１つの工程で形成することができる。従って、第２透過部、ひいては、視差バリアの形成工程を簡略化することができる。
【００１１】
本発明では、前記第２透過部は、行方向に沿って延出していることが好ましい。
本発明によれば、第２透過部の延出方向が行方向であるので、当該行方向に沿って視差バリアがずれて表示手段に組み合わされた場合でも、当該視差バリアの適正位置（第１画像及び第２画像の分離能が最も高い位置）からのずれ方向とは反対側に位置する第２透過部を介して、遮光部により遮光されるはずの第１画像及び第２画像の光を透過させることができる。これによれば、第２透過部を有しない視差バリアが採用される場合に比べ、第１画素及び第２画素から出射されるそれぞれの光のうち、遮光部により遮光される光の割合を低減できる。従って、視差バリアがずれた場合でも、表示画像の輝度の急激な低下を抑制できる。
【００１２】
本発明では、前記第２透過部は、列方向に沿って延出していることが好ましい。
本発明によれば、前述の場合と同様に、第２透過部の配列方向のうち列方向に沿って視差バリアが表示手段にずれて組み合わされた場合でも、当該視差バリアの適正位置からのずれ方向とは反対側に位置する第２透過部を介して、遮光部により遮光されるはずの第１画像及び第２画像の光を透過させることができる。従って、第２透過部を有しない視差バリアが採用される場合に比べ、第１画素及び第２画素から出射されるそれぞれの光のうち、遮光部により遮光される光の割合を低減でき、表示画像の輝度の急激な低下を抑制できる。
【００１３】
或いは、本発明では、前記第２透過部は、行方向及び列方向にそれぞれ交差する方向に沿って延出していることが好ましい。
本発明によれば、前述の場合と同様に、行方向及び列方向の少なくともいずれかの方向に沿って視差バリアが表示手段にずれて組み合わされた場合でも、当該視差バリアの適正位置からのずれ方向とは反対側に位置する第２透過部を介して、遮光されるはずの第１画像及び第２画像の光を透過させることができる。従って、第２透過部を有しない視差バリアが採用される場合に比べ、第１画素及び第２画素から出射されるそれぞれの光のうち、遮光される光の割合を低減することができ、表示画像の輝度の急激な低下を抑制できる。
【００１４】
本発明では、前記第２透過部を透過する光量は、前記第１透過部を透過する光量より少ないことが好ましい。
ここで、透過する光量が第１透過部より少なくなる第２透過部としては、例えば、第１透過部より面積を小さくした第２透過部や、第１透過部より透過光量を減じる加工が施された第２透過部を挙げることができる。
本発明によれば、第２透過部を透過する光量は、第１透過部を透過する光量より少ないので、第１画像及び第２画像のうち、一方の画像に他方の画像の光が漏れこむ量（クロストーク値）を低減できる。従って、第１画像及び第２画像が視認される際の各画像の劣化を一層抑制できる。
【００１５】
本発明では、前記第２透過部は、前記表示手段から入射される光を回折させて透過させることが好ましい。
本発明によれば、第２透過部を透過する光は、回折により拡散される。これによれば、第２透過部を小さくできるので、前述のクロストーク値を低減させつつ、モアレの発生を抑制できる。
【００１６】
また、本発明の画像表示装置は、第１画像を表示する第１画素、及び、第２画像を表示する第２画素がそれぞれ複数配列された表示手段と、当該表示手段と組み合わせて用いられ、前記第１画像及び前記第２画像を分離する前述の視差バリアと、を備えることを特徴とする。
本発明によれば、前述の視差バリアと同様の効果を奏することができ、画質劣化が抑制された第１画像及び第２画像を表示することができる。
【図面の簡単な説明】
【００１７】
【図１】本発明の第１実施形態に係る画像表示装置の構成を模式的に示す断面図。
【図２】前記実施形態におけるサブピクセルの配列状態を平面的に見た模式図。
【図３】前記実施形態における第１透過部及び第２透過部の配列状態を平面的に見た模式図。
【図４】前記実施形態におけるサブピクセルと第１透過部及び第２透過部との位置関係を示す模式図。
【図５】図４で示した状態の画像表示装置を右目で見た場合の第１透過部及び第２透過部とサブピクセルとの位置関係を示す模式図。
【図６】前記実施形態におけるステップバリアが上方にずれて配置された場合の画像表示装置を右目で観察した場合の第１透過部及び第２透過部とサブピクセルとの位置関係を示す模式図。
【図７】前記実施形態におけるステップバリアが左側にずれて配置された場合の画像表示装置を右目で観察した場合の第１透過部及び第２透過部とサブピクセルとの位置関係を示す模式図。
【図８】本発明の第２実施形態に係る画像表示装置が備えるステップバリアの第１透過部及び第２透過部の配列状態を平面的に見た模式図。
【図９】前記実施形態におけるサブピクセルと第１透過部及び第２透過部との位置関係を示す模式図。
【図１０】図９に示した状態の画像表示装置を右目で見た場合のサブピクセルと第１透過部及び第２透過部との位置関係を示す模式図。
【図１１】本発明の第３実施形態に係る画像表示装置が備えるステップバリアの第１透過部及び第２透過部の配列状態を平面的に見た模式図。
【図１２】前記実施形態におけるサブピクセルと第１透過部及び第２透過部との位置関係を示す模式図。
【図１３】図１２に示した状態の画像表示装置を右目で見た場合のサブピクセルと第１透過部及び第２透過部との位置関係を示す模式図。
【図１４】本発明の第４実施形態に係る画像表示装置が備えるステップバリアの第１透過部及び第２透過部の配列状態を平面的に見た模式図。
【図１５】前記実施形態におけるサブピクセルと第１透過部及び第２透過部との位置関係を示す模式図。
【図１６】図１５に示した状態の画像表示装置を右目で見た場合のサブピクセルと第１透過部及び第２透過部との位置関係を示す模式図。
【図１７】本発明の第５実施形態に係る画像表示装置が備えるステップバリアの第１透過部及び第２透過部の配列状態を平面的に見た模式図。
【図１８】本発明の第６実施形態に係る画像表示装置が備えるステップバリアの第１透過部及び第２透過部の配列状態を平面的に見た模式図。
【図１９】本発明の第７実施形態に係る画像表示装置が備えるステップバリアの第１透過部及び第２透過部の配列状態を平面的に見た模式図。
【発明を実施するための形態】
【００１８】
〔第１実施形態〕
以下、本発明の第１実施形態について、図面に基づいて説明する。
〔画像表示装置の構成〕
図１は、本実施形態に係る画像表示装置１の構成を模式的に示す断面図である。具体的に、図１は、液晶パネル３及びステップバリア４Ａの列方向（垂直方向：図３、図４中、上下方向）から見た断面図である。
画像表示装置１は、入力される画像情報及びコマンドに応じた画像を表示する指向性表示方式の画像表示装置であり、形成された第１画像及び第２画像を、それぞれ第１視方向及び第２視方向に出射して、これら各画像を表示する。具体的に、本実施形態に係る画像表示装置１は、観察者の右目により視認される画像（右目用画像）と、左目により視認される画像（左目用画像）とを含む画像を生成し、これら右目用画像及び左目用画像をそれぞれ右目及び左目に入射させることで、視差により立体視可能な立体画像を表示する。なお、本実施形態では、画像表示装置１は、視点数が２の２眼式立体表示装置として構成されている。
この画像表示装置１は、図１に示すように、光源装置としてのバックライト２と、表示手段としての液晶パネル３と、視差バリアとしてのステップバリア４Ａとを備える。
【００１９】
〔バックライトの構成〕
バックライト２は、略Ｗ字状に曲折された冷陰極管と、当該冷陰極管の背面側に設けられるリフレクターとを備え、冷陰極管に電圧印加して生じた放電光を、リフレクターで反射して液晶パネル３側に出射する。なお、バックライト２は、このような構成に限らず、Ｌ字状又はＵ字状のエッジタイプの冷陰極管と導光板との組み合わせや、冷陰極管及びリフレクターに代えて、複数のＬＥＤ(Light Emitting Diode)等の固体光源が複数配設された構成を有していてもよい。
【００２０】
〔液晶パネルの構成〕
図２は、液晶パネル３の画素３１，３２をそれぞれ構成するサブピクセル３Ｒ，３Ｇ，３Ｂの配列状態を平面的に見た模式図である。なお、図１及び図２では、説明の便宜上、画素３１内に「Ｒ」の文字を付し、画素３２内に「Ｌ」の文字を付している。また、図２では、各画素３１，３２をそれぞれ構成するＲ（赤）、Ｇ（緑）及びＢ（青）の各サブピクセルを当該各画素３１，３２内にそれぞれ「（Ｒ）」、「（Ｇ）」及び「（Ｂ）」の文字を付して示している。更に、図２では、説明を簡略化するために、液晶パネル３における一部の領域を示しているが、図示された行数及び列数に限定されるものではない。
液晶パネル３は、固定画素型の画像形成デバイスであり、バックライト２とともに本発明の表示手段を構成する。この液晶パネル３は、図２に示すように、右目用画像である第１画像を表示する第１画素３１と、左目用画像である第２画像を表示する第２画素３２とをそれぞれ複数備える。換言すると、液晶パネル３は、右目用画素である第１画素３１と、左目用画素である第２画素３２とを複数備える。そして、これら第１画素３１及び第２画素３２は、ブラックマトリクスＢＭにより仕切られている。
【００２１】
詳述すると、液晶パネル３は、それぞれＲ（赤）、Ｇ（緑）及びＢ（青）のカラーフィルターが光束出射側に配設された複数のサブピクセル３Ｒ，３Ｇ，３Ｂを有する。
これらサブピクセル３Ｒ，３Ｇ，３Ｂは、それぞれ、一対の透明基板間に密閉封入された液晶に電圧を印加するＴＦＴ（Thin Filmed Transistor）をスイッチング素子として備え、当該ＴＦＴのスイッチングにより、各サブピクセル３Ｒ，３Ｇ，３Ｂに画像信号として印加される電圧が変化して液晶の配向状態が変化されることで、入射光束が画像信号に応じて変調される。
【００２２】
このようなサブピクセル３Ｒ，３Ｇ，３Ｂは、当該順序でそれぞれ行方向に沿って互いに隣り合うように配設され、同色のサブピクセルが列方向に沿って配設される。すなわち、サブピクセル３Ｒが列方向に沿って複数配設され、当該サブピクセル３Ｒの行方向の隣（図２における右側）にサブピクセル３Ｇが列方向に沿って同数配設される。更に、サブピクセル３Ｇの行方向の隣（図２における右側）にサブピクセル３Ｂが列方向に沿って同数配設され、当該サブピクセル３Ｂの行方向の隣（図２における右側）に他のサブピクセル３Ｒが列方向に沿って同数配設される。このように、サブピクセル３Ｒ，３Ｇ，３Ｂは、各行において当該順序で繰り返し配設される。
【００２３】
これらサブピクセル３Ｒ，３Ｇ，３Ｂは、行方向及び列方向に沿って交互に、第１画素３１を構成する第１サブピクセル３Ｒ１，３Ｇ１，３Ｂ１と、第２画素３２を構成する第２サブピクセル３Ｒ２，３Ｇ２，３Ｂ２とに設定される。
具体的に、サブピクセル３Ｒの各列にのみ注目した場合、奇数列では、第１サブピクセル３Ｒ１と第２サブピクセル３Ｒ２とが交互に設定され、偶数列では、第２サブピクセル３Ｒ２と第１サブピクセル３Ｒ１とが交互に設定される。
同様に、サブピクセル３Ｂの各列にのみ注目した場合、奇数列では、第１サブピクセル３Ｂ１と第２サブピクセル３Ｂ２とが交互に設定され、偶数列では、第２サブピクセル３Ｂ２と第１サブピクセル３Ｂ１とが交互に設定される。
【００２４】
一方、サブピクセル３Ｇの各列にのみ注目した場合、奇数列では、第２サブピクセル３Ｇ２と第１サブピクセル３Ｇ１とが交互に設定され、偶数列では、第１サブピクセル３Ｇ１と第２サブピクセル３Ｇ２とが交互に設定される。
このため、ある行では、各サブピクセルが３Ｒ１、３Ｇ２、３Ｂ１、３Ｒ２、３Ｇ１、３Ｂ２、３Ｒ１、…の順で配列され、ある行では、３Ｒ２、３Ｇ１、３Ｂ２、３Ｒ１、３Ｇ２、３Ｂ１、３Ｒ２、…の順で配列される。
【００２５】
これらサブピクセル３Ｒ，３Ｇ，３Ｂのうち、図２において実線で示すように、斜方向に隣り合って配設された第１サブピクセル３Ｒ１，３Ｇ１，３Ｂ１により、第１画素３１がそれぞれ構成される。また、図２において点線で示すように、斜方向に隣り合って配設された第２サブピクセル３Ｒ２，３Ｇ２，３Ｂ２により、第２画素３２がそれぞれ構成される。
そして、液晶パネル３全体として、第１画素３１と第２画素３２とは、行方向（図２における左右方向）及び列方向（図２における上下方向）において交互に配列される。
【００２６】
〔ステップバリアの構成〕
ステップバリア４Ａは、図１に示すように、液晶パネル３の光束出射側（観察者側）に配設され、表示される画像のうち、第１画像（右目用画像）と第２画像（左目用画像）とを分離する機能を有し、観察者の両目に、それぞれの画像を個別に入射させる。具体的に、ステップバリア４Ａは、入射される第１画像の光のうち、観察者の右目に向かう方向（第１視方向）に出射された光を透過させ、また、入射される第２画像の光のうち、観察者の左目に向かう方向（第２視方向）に出射された光を透過させる。
このステップバリア４Ａは、液晶パネル３を介した光を透過するバリア基板としての透光性基板４１と、遮光部４２とを備える。
【００２７】
図３は、ステップバリア４Ａの第１透過部４３及び第２透過部４４Ａの配列状態を平面的に見た模式図であり、また、図４は、サブピクセル３Ｒ，３Ｇ，３Ｂと第１透過部４３及び第２透過部４４Ａとの位置関係を示す模式図である。更に、図５は、図４で示した状態の画像表示装置１を観察者の右目で見た場合のサブピクセル３Ｒ，３Ｇ，３Ｂと各透過部４３，４４Ａとの位置関係を示す模式図である。なお、図４及び図５においては、サブピクセル３Ｒ，３Ｇ，３Ｂを、順に間隔が荒くなるハッチで示す。また、第１サブピクセル３Ｒ１，３Ｇ１，３Ｂ１を右上がりのハッチで示し、第２サブピクセル３Ｒ２，３Ｇ２，３Ｂ２を右下がりのハッチで示す。以降の図でも同様である。
遮光部４２は、透光性基板４１上に光を遮断する材料を積層することで形成されている。この遮光部４２には、図３〜図５に示すように、第１透過部４３及び第２透過部４４Ａが、それぞれ複数形成されている。
【００２８】
各第１透過部４３は、液晶パネル３を介して入射される光を透過する略正方形状の開口部である。これら各第１透過部４３の行方向（図３〜図５における左右方向）の寸法は、前述の各サブピクセル３Ｒ，３Ｇ，３Ｂの行方向の寸法より若干大きく形成されている。また、各第１透過部４３の列方向（図３〜図５における上下方向）の寸法は、各サブピクセル３Ｒ，３Ｇ，３Ｂの列方向の寸法より若干小さく形成されている。そして、これら第１透過部４３は、第１サブピクセル３Ｒ１，３Ｇ１，３Ｂ１と、当該第１サブピクセルに行方向に沿って隣り合う第２サブピクセル３Ｒ２，３Ｇ２，３Ｂ２との間に、これら各サブピクセルに跨って形成される。この際、それぞれの第１透過部４３の中心は、当該第１透過部４３により露出する第１サブピクセルと第２サブピクセルとの間の略中央に位置するように設定され、また、図３〜図５における左側に第１画素３１が位置するように設定される。
【００２９】
例えば、図４に示すように、第１透過部４３は、第１サブピクセル３Ｒ１と、当該第１サブピクセル３Ｒ１に行方向に沿って隣り合う第２サブピクセル３Ｇ２とに跨って形成されている。また、同様に、他の第１透過部４３は、第１サブピクセル３Ｇ１と第２サブピクセル３Ｂ２とに跨って形成され、更に他の第１透過部４３は、第１サブピクセル３Ｂ１と第２サブピクセル３Ｒ２とに跨って形成されている。
【００３０】
このため、画像表示装置１にて表示される画像を観察する場合には、図５に示すように、各第１透過部４３を介して、各第１サブピクセル３Ｒ１，３Ｇ１，３Ｂ１により構成される第１画素３１が右目で視認され、図示を省略するが、各第１透過部４３を介して、各第２サブピクセル３Ｒ２，３Ｇ２，３Ｂ２により構成される第２画素３２が左目で視認される。これにより、第１画像（右目用画像）が右目で視認され、第２画像（左目用画像）が左目で視認される。
【００３１】
第２透過部４４Ａは、第１透過部４３と同様に、遮光部４２に複数形成され、かつ、液晶パネル３から入射される光を透過させる開口部である。これら第２透過部４４Ａは、第１透過部４３の他に、遮光部４２により遮光される第１画像及び第２画像の光の一部を透過させることで、当該遮光部４２による遮光領域の縮小、及び、当該遮光領域のピッチの縮小を図り、第１透過部４３を介して視認される画素３１，３２の輝度と、遮光部４２により遮光される領域の輝度との差を小さくして、モアレの発生を抑制する機能を有する。
【００３２】
このような第２透過部４４Ａは、図３に示すように、当該第２透過部４４Ａの配列方向である行方向及び列方向に対してそれぞれ交差する方向（斜方向）に隣り合う２つの第１透過部４３間に位置し、当該斜方向に沿って延出して、当該２つの第１透過部４３を接続する。そして、本実施形態では、第１画素３１及び第２画素３２に応じて配置され、斜方向に隣り合う３つの第１透過部４３が、２つの第２透過部４４Ａにより接続される。
これら第２透過部４４Ａの開口面積は、それぞれ、１つの第１透過部４３の開口面積より小さくなるように設定されている。このため、１つの第２透過部４４Ａを透過する光の光量（透過光量）は、１つの第１透過部４３の透過光量より少ない。
このような第２透過部４４Ａにより、本来、遮光部４２により遮光されるべき領域の光が、外部（観察者側）に出射されることとなる。
【００３３】
〔ステップバリアの位置ずれ〕
画像表示装置１を製造する際には、前述のように、液晶パネル３の第１画素３１及び第２画素３２（詳述すると各サブピクセル３Ｒ，３Ｇ，３Ｂ）に対して、各第１透過部４３が適正位置に位置するように、ステップバリア４Ａを位置合わせする必要がある。しかしながら、製造装置の機械誤差等により、ステップバリア４Ａが、液晶パネル３における適切な位置からずれて取り付けられる場合がある。このような場合、第１透過部４３を介して観察者の右目又は左目に入射されるはずの光が遮光部４２により遮られるため、視認される画像の輝度が低下する。これに対し、ステップバリア４Ａには、第１透過部４３に連続した第２透過部４４Ａにより、当該光が第２透過部４４Ａを介してステップバリア４Ａを透過することにより、当該画像の輝度低下の割合を低減できる。
【００３４】
図６は、ステップバリア４Ａが図５における上方にずれて配置された場合の画像表示装置１を右目で観察した場合の第１透過部４３及び第２透過部４４Ａと各サブピクセル３Ｒ，３Ｇ，３Ｂとの位置関係を示す模式図である。
例えば、ステップバリア４Ａが、図５における上方にずれて取り付けられた場合、図６に示すように、各サブピクセル３Ｒ，３Ｇ，３Ｂの下方の領域から出射される光は、第２透過部４４Ａが形成されていない場合には、遮光部４２により遮光されてしまう。このため、第２透過部４４Ａが形成されていない場合には、当該ステップバリア４Ａの位置ずれにより、視認される各画素３１，３２の輝度が低下する。
【００３５】
これに対し、第２透過部４４Ａにより接続された３つの第１透過部４３に対応するサブピクセル３Ｒ，３Ｇ，３Ｂのうち、上方に位置する２つのサブピクセルの下方の領域から出射された光の一部は、ステップバリア４Ａがずれた方向とは反対側（図５における下方）に位置する第２透過部４４Ａを透過して観察者側に出射される。これにより、当該３つの第１透過部４３及び２つの第２透過部４４Ａを介して観察される画素３１，３２の輝度低下の割合が低減され、ひいては、右目用画像及び左目用画像の輝度低下の割合が低減される。
【００３６】
図７は、ステップバリア４Ａが図５における左側にずれて配置された場合の画像表示装置１を右目で観察した場合の第１透過部４３及び第２透過部４４Ａと各サブピクセル３Ｒ，３Ｇ，３Ｂとの位置関係を示す模式図である。
一方、例えば、ステップバリア４Ａが、図５における左側にずれて取り付けられた場合には、図７に示すように、１つのサブピクセルにおいて、当該ステップバリア４Ａがずれた方向とは反対側（図５における右側）の領域から出射された光の殆どは、第１透過部４３を透過せず、遮光部４２により遮光されてしまう。このため、第２透過部４４Ａが形成されていない場合には、当該ステップバリア４Ａの位置ずれにより、視認される各画素３１，３２の輝度が低下する。
【００３７】
これに対し、第２透過部４４Ａに応じたサブピクセルの領域から出射された光は、当該第２透過部４４Ａを透過して観察者側に出射される。これにより、第２透過部４４Ａが形成されていないステップバリアを用いた場合に比べ、各画素３１，３２の輝度低下の割合が低減され、ひいては、右目用画像及び左目用画像の輝度低下の割合が低減される。
【００３８】
以上説明した本実施形態に係る画像表示装置１によれば、以下の効果がある。
第２透過部４４Ａを介して、遮光部４２により遮光される第１画像及び第２画像の光の一部が透過する。これによれば、第２透過部４４Ａが設けられていない場合に比べ、遮光部４２により遮光される領域を小さくすることができるほか、当該領域のピッチを小さくすることができる。このため、第１透過部４３を介して視認される画素３１，３２の輝度と、遮光部４２により遮光される領域の輝度との差を小さくすることができ、モアレを視認させづらくすることができる。従って、画像表示装置１により表示される画像の画質劣化を抑制できる。
【００３９】
各第２透過部４４Ａは、斜方向に隣り合う２つの複数の第１透過部４３間に形成される。これによれば、画像表示装置１において第１画像及び第２画像の光が観察される領域の数を増加できる。従って、見た目上の当該画像の精細感を向上できる。
【００４０】
第２透過部は、斜方向に隣り合う２つの第１透過部４３を接続するように、これらと連続して形成されているので、当該２つの第１透過部４３と１つの第２透過部４４Ａとを１つの透過部として形成することができる。これによれば、これら第１透過部４３及び第２透過部４４Ａを１つの工程で形成することができる。従って、ステップバリア４Ａの形成工程を簡略化することができる。なお、本実施形態では、１つの第１画素３１及び第２画素３２に対応する３つの第１透過部４３を接続するように、２つの第２透過部４４Ａが形成されているので、これら第１透過部４３及び第２透過部４４、ひいては、ステップバリア４Ａの形成工程を一層簡略化することができる。
【００４１】
ステップバリア４Ａが、液晶パネル３に対して行方向及び列方向の少なくともいずれかの方向に沿ってずれて組み合わされた場合でも、当該ステップバリア４Ａの適正位置からのずれ方向とは反対側に位置する第２透過部４４Ａを介して、遮光されるはずの第１画像及び第２画像の光が透過される。これによれば、第２透過部４４Ａが形成されていないステップバリア４Ａに比べ、第１画素及び第２画素から出射されるそれぞれの光のうち、遮光される光の割合を低減することができる。従って、表示画像の輝度の急激な低下を抑制できる。
【００４２】
１つの第２透過部４４Ａを透過する光量は、１つの第１透過部４３を透過する光量より少ない。これによれば、第１画像及び第２画像のうち、一方の画像に他方の画像の光が漏れこむ量（クロストーク値）を低減できる。従って、第１画像及び第２画像が視認される際の各画像の劣化を一層抑制できる。
【００４３】
〔第２実施形態〕
次に、本発明の第２実施形態について説明する。
本実施形態に係る画像表示装置は、前述の画像表示装置１と同様の構成を備えるが、ステップバリアに形成された第２透過部の形状が異なる。なお、以下の説明では、既に説明した部分と同一又は略同一である部分については、同一の符号を付して説明を省略する。
【００４４】
図８は、本実施形態に係る画像表示装置が備えるステップバリア４Ｂの第１透過部４３及び第２透過部４４Ｂの配列状態を平面的に見た模式図である。
本実施形態に係る画像表示装置は、ステップバリア４Ａに代えてステップバリア４Ｂを備えるほかは、画像表示装置１と同様の構成を備える。
ステップバリア４Ｂは、ステップバリア４Ａと同様に、透光性基板４１と、当該透光性基板４１に形成される遮光部４２とを備える。この遮光部４２は、図８に示すように、複数の第１透過部４３及び複数の第２透過部４４Ｂを有する。なお、それぞれの第１透過部４３の形状及び配置位置等は、ステップバリア４Ａと同様である。
【００４５】
各第２透過部４４Ｂは、行方向及び列方向にそれぞれ隣り合う２つの第１透過部４３の間に位置し、斜方向に隣り合う２つの第１透過部４３を接続するように略Ｌ字状に形成されている。
詳述すると、各第２透過部４４Ｂは、第１透過部４３から行方向の一方（図８における右側）に向かって延出し、列方向の一方（図８における下側）に向かって延出した後、他の第１透過部４３に接続される。また、他の第２透過部４４Ｂは、当該他の第１透過部４３から行方向の一方に向かって延出し、列方向の一方に向かって延出した後、更に他の第１透過部４３に接続される。このため、１つの第１画素３１及び１つの第２画素３２に対応する３つの第１透過部４３が、２つの第２透過部４４Ｂにより接続される。なお、第２透過部４４Ｂの屈曲位置は、本実施形態では、行方向に隣接する２つの第１透過部４３の略中央で、かつ、列方向に隣接する２つの第１透過部４３の略中央に設定されている。
【００４６】
図９は、サブピクセル３Ｒ，３Ｇ，３Ｂと第１透過部４３及び第２透過部４４Ｂとの位置関係を示す模式図である。
ステップバリア４Ｂは、図９に示すように、ステップバリア４Ａと同様に、当該ステップバリア４Ｂを液晶パネル３に取り付ける方向（観察者側）から見て、２つの第２透過部４４Ｂにより接続される３つの第１透過部４３が、第１画素３１及び第２画素３２をそれぞれ構成する各サブピクセル３Ｒ，３Ｇ，３Ｂに跨るように、液晶パネル３に対して位置合わせされる。この際、第１透過部４３の中心が、対応する第１サブピクセルと第２サブピクセルとの間の中央に位置するように設定される。
【００４７】
図１０は、図９に示した状態の画像表示装置を観察者の右目で見た場合のサブピクセル３Ｒ，３Ｇ，３Ｂと各透過部４３，４４Ｂとの位置関係を示す模式図である。
このため、液晶パネル３にステップバリア４Ｂが取り付けられた画像表示装置を観察した場合、図１０に示すように、２つの第２透過部４４Ｂにより接続された３つの第１透過部４３を介して、第１画素３１から出射された光が右目により視認される。また、図示を省略するが、当該第１透過部４３を介して、第２画素３２から出射された光が左目により視認される。
【００４８】
ここで、画像表示装置を右目で見た場合、各第２透過部４４Ｂは、第２サブピクセル３Ｒ２，３Ｇ２，３Ｂ２上に位置する。このため、当該各第２透過部４４Ｂを介して右目に入射される光には、第１画素３１の光のほか、第２画素３２の光も含まれる。同様に、画像表示装置を左目で見た場合、図示を省略するが、各第２透過部４４Ｂは、第１サブピクセル３Ｒ１，３Ｇ１，３Ｂ１上に位置するため、当該各第２透過部４４Ｂを介して左目に入射される光には、第２画素３２の光のほか、第１画素３１の光も含まれる。
なお、それぞれの第２透過部４４Ｂの開口面積は、１つの第１透過部４３の開口面積より小さくなるように設定されている。このため、１つの第２透過部４４Ｂの透過光量は、１つの第１透過部４３の透過光量より少ない。
以上説明した本実施形態に係る画像表示装置によれば、前述の画像表示装置１と同様の効果を奏することができる。
【００４９】
〔第３実施形態〕
次に、本発明の第３実施形態について説明する。
本実施形態に係る画像表示装置は、前述の画像表示装置１と同様の構成を備えるが、ステップバリアに形成された第２透過部の形状が異なる。なお、以下の説明では、既に説明した部分と同一又は略同一である部分については、同一の符号を付して説明を省略する。
【００５０】
図１１は、本実施形態に係る画像表示装置が備えるステップバリア４Ｃの第１透過部４３及び第２透過部４４Ｃの配列状態を平面的に見た模式図である。
本実施形態に係る画像表示装置は、ステップバリア４Ａに代えて、ステップバリア４Ｃを備えるほかは、前述の画像表示装置１と同様の構成を備える。
ステップバリア４Ｃは、ステップバリア４Ａと同様に、透光性基板４１と、当該透光性基板４１に形成される遮光部４２とを備える。この遮光部４２は、図１１に示すように、複数の第１透過部４３及び複数の第２透過部４４Ｃを有する。このうち、それぞれの第１透過部４３の形状及び配置位置等は、前述のステップバリア４Ａと同様である。
【００５１】
各第２透過部４４Ｃは、行方向及び列方向にそれぞれ隣り合う２つの第１透過部４３間に位置し、列方向（図１１における上下方向）に沿って延出するように形成され、第１透過部４３と接続される。これら第２透過部４４Ｃは、行方向に沿って交互に形成された透過部４４Ｃ１及び透過部４４Ｃ２に区分される。
透過部４４Ｃ１は、３行分の第１透過部４３のうち、図１１における上方から１行目及び３行目に位置し、かつ、列方向に沿って隣り合う２つの第１透過部４３の中心間を接続するように、列方向に沿って延出している。
透過部４４Ｃ２は、３行分の第１透過部４３のうち、図１１における上方から２行目に位置する第１透過部４３の両端から列方向に沿って延出している。そして、当該透過部４４Ｃ２の列方向の両端は、１行目及び３行目の各第１透過部４３の端部と列方向の位置が略同じとなるように設定されている。
なお、これら透過部４４Ｃ１，４４Ｃ２の行方向の寸法は、各サブピクセル３Ｒ，３Ｇ，３Ｂ間の行方向の寸法に応じて設定されている。具体的に、当該透過部４４Ｃ１，４４Ｃ２の行方向の寸法は、行方向に沿って隣り合う２つのサブピクセルにおいて互いに隣接するブラックマトリクスＢＭの行方向の寸法以下に設定されている。
【００５２】
図１２は、サブピクセル３Ｒ，３Ｇ，３Ｂと第１透過部４３及び第２透過部４４Ｃとの位置関係を示す模式図である。また、図１３は、図１２に示した状態の画像表示装置を観察者の右目で見た場合のサブピクセル３Ｒ，３Ｇ，３Ｂと各透過部４３，４４Ｃとの位置関係を示す模式図である。
ステップバリア４Ｃは、図１２に示すように、第１透過部４３とサブピクセル３Ｒ，３Ｇ，３Ｂとがステップバリア４Ａと同様の位置関係となるように、液晶パネル３に取り付けられる。
これにより、画像表示装置を右目で見た場合、図１３に示すように、各第１透過部４３が各第１サブピクセル３Ｒ１，３Ｇ１，３Ｂ１上に位置することとなり、当該各第１サブピクセル３Ｒ１，３Ｇ１，３Ｂ１から出射された第１画像の光が、右目により観察される。また、図示を省略するが、画像表示装置を左目で見た場合、各第１透過部４３が各第２サブピクセル３Ｒ２，３Ｇ２，３Ｂ２上に位置することとなり、当該各第２サブピクセル３Ｒ２，３Ｇ２，３Ｂ２から出射された第２画像の光が、左目により観察される。
【００５３】
ここで、画像表示装置を右目で見た場合、それぞれの第２透過部４４Ｃ（４４Ｃ１，４４Ｃ２）は、第２サブピクセル３Ｒ２，３Ｇ２，３Ｂ２上に位置する。このため、右目により観察される光には、第１サブピクセル３Ｒ１，３Ｇ１，３Ｂ１の光のほか、第２サブピクセル３Ｒ２，３Ｇ２，３Ｂ２の光の一部も含まれる。
同様に、画像表示装置を左目で見た場合、図示を省略するが、それぞれの第２透過部４４Ｃ（４４Ｃ１，４４Ｃ２）は、サブピクセル３Ｒ１，３Ｇ１，３Ｂ１上に位置する。このため、左目により観察される光には、第２サブピクセル３Ｒ２，３Ｇ２，３Ｂ２の光のほか、第１サブピクセル３Ｒ１，３Ｇ１，３Ｂ１の光の一部も含まれる。
【００５４】
このように、視認される第１画像（右目用画像）と第２画像（左目用画像）との輝度差を低減できる。なお、それぞれの透過部４４Ｃ１，４４Ｃ２の開口面積は、１つの第１透過部４３の開口面積より小さくなるように設定されているので、１つの透過部４４Ｃ１，４４Ｃ２の透過光量は、１つの第１透過部４３の透過光量より少ない。
以上説明した本実施形態に係る画像表示装置によれば、前述の画像表示装置１と同様の効果を奏することができる。
【００５５】
〔第４実施形態〕
次に、本発明の第４実施形態について説明する。
本実施形態に係る画像表示装置は、前述の画像表示装置１と同様の構成を備えるが、ステップバリアに形成された第２透過部の形状が異なる。なお、以下の説明では、既に説明した部分と同一又は略同一である部分については、同一の符号を付して説明を省略する。
【００５６】
図１４は、本実施形態に係る画像表示装置が備えるステップバリア４Ｄの第１透過部４３及び第２透過部４４Ｄの配列状態を平面的に見た模式図である。
本実施形態に係る画像表示装置は、ステップバリア４Ａに代えて、ステップバリア４Ｄを備えるほかは、前述の画像表示装置１と同様の構成を備える。
ステップバリア４Ｄは、ステップバリア４Ａと同様に、透光性基板４１と、当該透光性基板４１に形成される遮光部４２とを備える。この遮光部４２は、図１４に示すように、複数の第１透過部４３及び複数の第２透過部４４Ｄを有する。このうち、それぞれの第１透過部４３の形状及び配置位置等は、前述のステップバリア４Ａと同様である。
【００５７】
第２透過部４４Ｄは、列方向及び行方向に沿って格子状に形成されている。
具体的に、列方向に沿って延出する複数の第２透過部４４Ｄは、それぞれ、列方向に隣り合う複数の第１透過部４３を接続するように形成されている。この際、各第２透過部４４Ｄは、各第１透過部４３の中心を通るように形成される。
また、行方向に沿って延出する複数の第２透過部４４Ｄは、それぞれ、行方向に隣り合う複数の第１透過部４３を接続するように形成されている。この際、各第２透過部４４Ｄは、各第１透過部４３の中心を通るように形成される。
このため、遮光部４２に形成された略全ての第１透過部４３が、当該各第１透過部４３の間に形成された第２透過部４４Ｄにより、行方向及び列方向に沿って接続される。
【００５８】
図１５は、サブピクセル３Ｒ，３Ｇ，３Ｂと第１透過部４３及び第２透過部４４Ｄとの位置関係を示す模式図である。また、図１６は、図１５に示した状態の画像表示装置を観察者の右目で見た場合のサブピクセル３Ｒ，３Ｇ，３Ｂと各透過部４３，４４Ｄとの位置関係を示す模式図である。
ステップバリア４Ｄは、図１５に示すように、第１透過部４３とサブピクセル３Ｒ，３Ｇ，３Ｂとがステップバリア４Ａと同様の位置関係となるように、液晶パネル３に取り付けられる。これにより、図１６に示すように、それぞれの第１透過部４３を介して、第１画素３１を構成する各第１サブピクセル３Ｒ１，３Ｇ１，３Ｂ１から出射された第１画像を形成する光が、右目により観察される。また、同様に、図示を省略するが、それぞれの第１透過部４３を介して、第２画素３２を構成する各第２サブピクセル３Ｒ２，３Ｇ２，３Ｂ２から出射された第２画像を形成する光が、左目により観察される。
【００５９】
ここで、画像表示装置を右目で見た場合、それぞれの第２透過部４４Ｄは、第２サブピクセル３Ｒ２，３Ｇ２，３Ｂ２上に位置する。このため、右目により観察される光には、第１サブピクセル３Ｒ１，３Ｇ１，３Ｂ１の光のほか、第２サブピクセル３Ｒ２，３Ｇ２，３Ｂ２の光の一部も含まれる。
同様に、画像表示装置を左目で見た場合、図示を省略するが、それぞれの第２透過部４４Ｄは、サブピクセル３Ｒ１，３Ｇ１，３Ｂ１上に位置する。このため、左目により観察される光には、第２サブピクセル３Ｒ２，３Ｇ２，３Ｂ２の光のほか、第１サブピクセル３Ｒ１，３Ｇ１，３Ｂ１の光の一部も含まれる。
【００６０】
このため、視認される第１画像（右目用画像）と第２画像（左目用画像）との輝度差を低減できる。なお、それぞれの第２透過部４４Ｄの開口面積は、１つの第１透過部４３の開口面積より小さくなるように設定されているので、１つの第２透過部４４Ｄの透過光量は、１つの第１透過部４３の透過光量より少ない。
以上説明した本実施形態に係る画像表示装置によれば、前述の画像表示装置１と同様の効果を奏することができる。
【００６１】
〔第５実施形態〕
次に、本発明の第５実施形態について説明する。
本実施形態に係る画像表示装置は、前述の画像表示装置１と同様の構成を備えるが、ステップバリアに形成された第２透過部の形状及び構成が異なる。なお、以下の説明では、既に説明した部分と同一又は略同一である部分については、同一の符号を付して説明を省略する。
【００６２】
図１７は、本実施形態に係る画像表示装置が備えるステップバリア４Ｅを示す模式図である。
本実施形態の画像表示装置は、ステップバリア４Ａに代えて、ステップバリア４Ｅを備えるほかは、前述の画像表示装置１と同様の構成を備える。
ステップバリア４Ｅは、ステップバリア４Ａと同様に、透光性基板４１と、当該透光性基板４１に形成される遮光部４２とを備える。また、遮光部４２は、図１７に示すように、複数の第１透過部４３及び複数の第２透過部４４Ｅを有する。なお、それぞれの第１透過部４３の形状及び配置位置等は、前述のステップバリア４Ａと同様である。
【００６３】
各第２透過部４４Ｅは、行方向及び列方向にそれぞれ隣り合う複数の第１透過部４３間の中央に、それぞれ略十字状に形成されている。これら第２透過部４４Ｅは、第１透過部４３と同様の開口（略全透過の開口）としてもよいが、本実施形態では、第１透過部４３より光透過率が低い、半透過部として形成されている。
具体的に、各第２透過部４４Ｅは、光透過率を低減させた層を透光性基板４１に形成して構成できるほか、遮光部４２を形成する材料の層数（膜厚）を減少させることによっても構成することができる。或いは、第２透過部４４Ｅが形成される領域をハーフトーン露光させることにより、第２透過部４４Ｅを構成することもできる。
【００６４】
このようなステップバリア４Ｅは、第１透過部４３とサブピクセル３Ｒ，３Ｇ，３Ｂとがステップバリア４Ａと同様の位置関係となるように液晶パネル３に取り付けられる。
これにより、第１画素３１から右目に向かう方向（第１視方向）に第１透過部４３が位置し、また、第２画素３２から左目に向かう方向（第２視方向）に第１透過部４３が位置する。このため、各第１画素３１及び各第２画素３２により表示される第１画像及び第２画像は、それぞれ、観察者の右目及び左目により観察される。
【００６５】
この際、第２透過部４４Ｅは、前述の第２透過部４４Ａ〜４４Ｄと同様に、右目で見た場合には第２サブピクセル３Ｒ２，３Ｇ２，３Ｂ２上に位置し、また、左目で見た場合には第１サブピクセル３Ｒ１，３Ｇ１，３Ｂ１上に位置する。このため、右目により観察される光には、第１画素３１の光のほか、第２画素３２の一部の光が含まれる。同様に、左目により観察される光には、第２画素３２の光のほか、第１画素３１の一部の光が含まれる。このため、視認される第１画像（右目用画像）と第２画像（左目用画像）との輝度差を低減できる。この際、第２透過部４４Ｅの面積は、第１透過部４３の開口面積より小さく、また、当該第２透過部４４Ｅは透過率を減少させる構成であるので、１つの第２透過部４４Ｅの透過光量は、１つの第１透過部４３の透過光量より少ない。このため、不要に前述のクロストーク値が大きくなることを防止できる。
以上説明した本実施形態に係る画像表示装置によれば、前述の画像表示装置１と同様の効果を奏することができる。
【００６６】
〔第６実施形態〕
次に、本発明の第６実施形態について説明する。
本実施形態に係る画像表示装置は、前述の画像表示装置１と同様の構成を備えるが、ステップバリアに形成された第２透過部の形状及び構成が異なる。なお、以下の説明では、既に説明した部分と同一又は略同一である部分については、同一の符号を付して説明を省略する。
【００６７】
図１８は、本実施形態に係る画像表示装置が備えるステップバリア４Ｆを示す模式図である。
本実施形態に係る画像表示装置は、ステップバリア４Ａに代えて、ステップバリア４Ｆを備えるほかは、前述の画像表示装置１と同様の構成を備える。
ステップバリア４Ｆは、ステップバリア４Ａと同様に、透光性基板４１と、遮光部４２とを備える。また、当該遮光部４２は、図１８に示すように、複数の第１透過部４３及び複数の第２透過部４４Ｆを有する。なお、それぞれの第１透過部４３の形状及び配置位置等は、前述のステップバリア４Ａと同様である。
【００６８】
各第２透過部４４Ｆは、行方向及び列方向に隣り合う複数の第１透過部４３間の中央に、列方向に沿って延出するように形成された開口である。これら第２透過部４４Ｆの列方向の寸法は、サブピクセル３Ｒ，３Ｇ，３Ｂの列方向の寸法と略一致するように設定され、行方向の寸法は、サブピクセル３Ｒ，３Ｇ，３Ｂの行方向の寸法より小さく設定されている。
【００６９】
具体的に、各サブピクセル３Ｒ，３Ｇ，３Ｂの行方向の寸法は１７８μｍであり、ブラックマトリクスＢＭを含めた場合、当該行方向の寸法は２０４μｍである。これに対し、各第２透過部４４Ｆの列方向の寸法は１８０μｍに設定されている。
また、各サブピクセル３Ｒ，３Ｇ，３Ｂの列方向の寸法は４６μｍであり、ブラックマトリクスＢＭを含めた場合、当該列方向の寸法は６８μｍである。これに対し、各第２透過部４４Ｆの行方向の寸法は２０μｍに設定されている。
【００７０】
このようなステップバリア４Ｆは、第１透過部４３とサブピクセル３Ｒ，３Ｇ，３Ｂとがステップバリア４Ａと同様の位置関係となるように、液晶パネル３に取り付けられる。これにより、第１画素３１及び第２画素３２からそれぞれ第１視方向及び第２視方向に出射された光の光路上に第１透過部４３が位置するため、第１画像及び第２画像はそれぞれ、右目及び左目により観察される。
また、各第２透過部４４Ｆは、右目で見た場合には第２サブピクセル３Ｒ２，３Ｇ２，３Ｂ２上に位置し、左目で見た場合には第１サブピクセル３Ｒ１，３Ｇ１，３Ｂ１上に位置する。そして、当該各第２透過部４４Ｆに液晶パネル３から入射された光は、図１８において一点鎖線で示すように、回折により拡散して出射される。このため、右目により、第１画素３１の光のほか第２画素３２の光の一部が観察され、また、左目により、第２画素３２の光のほか、第１画素３１の光の一部が観察される。
なお、それぞれの第２透過部４４Ｆの開口面積は、１つの第１透過部４３の開口面積より小さいので、１つの第２透過部４４Ｆの透過光量は、１つの第１透過部４３の透過光量より少ない。
【００７１】
ここで、第２透過部４４Ｆの寸法は、前述の寸法に限らず、当該第２透過部４４Ｆに入射された光が、回折により拡散して出射される寸法に設定されていればよい。しかしながら、行方向の寸法が２０μｍより小さくなるに従って、透過光の回折角は波長に応じて大きくなるが、透過光の単位面積当たりの強度は下がる。一方、行方向の寸法が２０μｍより大きくなるに従って、当該回折角は波長に応じて小さくなるが、透過光の単位面積当たりの強度は一定である。従って、第２透過部４４Ｆの行方向の寸法を略２０μｍに設定することにより、必要な透過光の強度及び回折角を確保できる。
以上説明した本実施形態の画像表示装置によれば、前述の画像表示装置１と同様の効果を奏することができるほか、第２透過部４４Ｆが小さいので、前述のクロストーク値を低減させつつ、モアレ等による表示画像の画質劣化を抑制できる。
【００７２】
〔第７実施形態〕
次に、本発明の第７実施形態について説明する。
本実施形態に係る画像表示装置は、前述の第５実施形態で示した画像表示装置と同様の構成を備える。しかしながら、当該第５実施形態で示したステップバリア４Ｆでは、第２透過部４４Ｆが行方向に沿って延出していたのに対し、本実施形態に係る画像表示装置のステップバリアでは、第２透過部の延出方向が列方向となっている。この点で、本実施形態に係る画像表示装置と、第５実施形態で示した画像表示装置とは相違する。なお、以下の説明では、既に説明した部分と同一又は略同一である部分については、同一の符号を付して説明を省略する。
【００７３】
図１９は、本実施形態に係る画像表示装置が備えるステップバリア４Ｇを示す模式図である。
本実施形態に係る画像表示装置は、ステップバリア４Ｆに代えて、ステップバリア４Ｇを備えるほかは、前述の第５実施形態で示した画像表示装置と同様の構成を備える。また、ステップバリア４Ｇは、第２透過部４４Ｆに代えて、第２透過部４４Ｇを有するほかは、ステップバリア４Ｆと同様の構成を備える。
このうち、各第２透過部４４Ｇは、行方向及び列方向に隣り合う複数の第１透過部４３間の中央に、行方向に沿って延出するように形成された開口である。これら各第２透過部４４Ｇの行方向の寸法は、サブピクセル３Ｒ，３Ｇ，３Ｂの行方向の寸法に応じて形成されている。一方、各第２透過部４４Ｇの列方向の寸法は、本実施形態では、前述の第２透過部４４Ｆの行方向の寸法と同様の値、すなわち、２０μｍに設定されている。これにより、必要な透過光の強度及び回折角を確保できる。
なお、それぞれの第２透過部４４Ｇの開口面積は、１つの第１透過部４３の開口面積より小さいので、１つの第２透過部４４Ｇの透過光量は、１つの第１透過部４３の透過光量より少ない。
【００７４】
このようなステップバリア４Ｇは、第１透過部４３とサブピクセル３Ｒ，３Ｇ，３Ｂとがステップバリア４Ａと同様の位置関係となるように液晶パネル３に取り付けられる。これにより、第１画素３１及び第２画素３２からそれぞれ第１視方向及び第２視方向に出射された光の光路上に第１透過部４３が位置するため、第１画像及び第２画像は、それぞれ、右目及び左目により観察される。
また、各第２透過部４４Ｇに液晶パネル３から入射された光は、図１９において一点鎖線で示すように、回折により拡散して出射される。このため、右目により、第１画素３１の光とともに、第２画素３２の光の一部が観察され、また、左目により、第２画素３２の光とともに、第１画素３１の光の一部が観察される。
なお、第２透過部４４Ｇの行方向及び列方向の寸法は、必要な透過光の強度及び回折角に基づいて、適宜設定可能である。
以上説明した本実施形態に係る画像表示装置によれば、前述の第５実施形態で示した画像表示装置と同様の効果を奏することができる。
【００７５】
〔実施形態の変形〕
本発明は前述の実施形態に限定されるものではなく、本発明の目的を達成できる範囲での変形、改良等は本発明に含まれるものである。
前記各実施形態では、視差バリアとしてステップバリア４Ａ〜４Ｇを挙げたが、本発明はこれに限らない。すなわち、第１画素３１及び第２画素３２が行方向又は列方向に沿って交互に配列されたストライプ型の画素配列を有する液晶パネルに応じて、第１透過部が行方向又は列方向に延出するように形成されたストライプバリアを採用してもよい。このようなストライプバリアにおいても、第２透過部が遮光部に前述のように形成されていればよい。
【００７６】
前記第１〜第４実施形態では、第２透過部４４Ａ〜４４Ｄは、複数の第１透過部４３を接続するように形成されていたが、本発明はこれに限らない。すなわち、前記第５〜第７実施形態にて示した第２透過部４４Ｅ〜４４Ｇのように、第１透過部４３とは独立して形成されていてもよい。
また、それぞれ２つの第２透過部４４Ａ，４４Ｂは、１つの画素を形成する各サブピクセル３Ｒ，３Ｇ，３Ｂに応じて形成された３つの第１透過部４３を接続することで、１画素に応じて開口部を遮光部４２に形成するとしたが、本発明はこれに限らない。すなわち、第２透過部４４Ｃを構成する透過部４４Ｃ１のように、サブピクセル３Ｒ，３Ｇ，３Ｂに応じて設けられた複数の第１透過部を、第２透過部により接続するようにしてもよい。この場合、当該第２透過部の延出方向は、行方向、列方向及びこれらに交差する斜方向のいずれであってもよい。
【００７７】
前記第５実施形態では、各第２透過部４４Ｅは、略十字状に形成されるとしたが、本発明はこれに限らない。すなわち、当該第２透過部４４Ｅの形状は、略矩形状でも略円形状でもよく、適宜設定可能である。また、当該第２透過部４４Ｅの光透過率を減少させる構成についても適宜設定可能であり、更には、光透過率を減少させる構成がなくてもよい。
【００７８】
前記第６及び第７実施形態では、各第２透過部４４Ｆ，４４Ｇは、それぞれ列方向及び行方向に延出しているとしたが、本発明はこれに限らない。すなわち、入射される光を回折により拡散して透過させることが可能であれば、当該第２透過部４４Ｆ，４４Ｇの形状は適宜設定可能である。例えば、第２透過部４４Ｅのように、第２透過部を略十字状に形成してもよく、行方向及び列方向に隣り合う複数の第１透過部４３を接続するように形成してもよい。この際の第２透過部の延出方向も、列方向、行方向、及び、これら各方向に交差する方向（斜方向）のいずれの方向であってもよい。更に、第２透過部４４Ｅ〜４４Ｇの寸法も、前述のように、適宜設定可能である。
【００７９】
前記第６及び第７実施形態では、各第２透過部４４Ｆ，４４Ｇは、回折により入射光を拡散させて透過させる開口部として構成したが、本発明はこれに限らない。すなわち、入射光を拡散（散乱）させて透過させる構成であれば、他の構成でもよい。例えば、第２透過部に散乱層を形成してもよい。
【００８０】
前記各実施形態では、表示手段としてのバックライト２及び液晶パネル３は、右目用画像である第１画像と左目用画像である第２画像とを形成し、ステップバリア４Ａ〜４Ｇは、当該第１画像及び第２画像をそれぞれ観察者の右目及び左目に入射させるべく分離するとしたが、本発明はこれに限らない。すなわち、視差バリアは、第１画像を第１視方向に出射させ、第２画像を第１視方向とは異なる第２視方向に出射させて、これら第１画像及び第２画像を分離可能な構成であればよい。例えば、第１視方向上に位置する第１観察者に第１画像を視認させ、第２視方向上に位置する第２観察者に第２画像を視認させるように、視差バリアを構成してもよい。
【００８１】
前記各実施形態では、表示手段として、バックライト２及び液晶パネル３が組み合わされた構成を挙げたが、本発明はこれに限らない。例えば、表示手段の他の構成として、有機ＥＬ（Electro-Luminescence）、プラズマ及びＣＲＴ（Cathode Ray Tube）等の各種ディスプレイを挙げることができる。
【産業上の利用可能性】
【００８２】
本発明は、指向性表示方式の画像表示装置に利用でき、例えば、右目用画像及び左目用画像を表示して、視差により立体視可能な画像を表示する立体画像表示装置に好適に利用することができる。
【符号の説明】
【００８３】
１…画像表示装置、２…バックライト（表示手段）、３…液晶パネル（表示手段）、４Ａ〜４Ｇ…ステップバリア（視差バリア）、３１…第１画素、３２…第２画素、４２…遮光部、４３…第１透過部、４４Ａ〜４４Ｇ…第２透過部。
【図１】
2011170241.tif 000003
【図２】
2011170241.tif 000004
【図３】
2011170241.tif 000005
【図４】
2011170241.tif 000006
【図５】
2011170241.tif 000007
【図６】
2011170241.tif 000008
【図７】
2011170241.tif 000009
【図８】
2011170241.tif 000010
【図９】
2011170241.tif 000011
【図１０】
2011170241.tif 000012
【図１１】
2011170241.tif 000013
【図１２】
2011170241.tif 000014
【図１３】
2011170241.tif 000015
【図１４】
2011170241.tif 000016
【図１５】
2011170241.tif 000017
【図１６】
2011170241.tif 000018
【図１７】
2011170241.tif 000019
【図１８】
2011170241.tif 000020
【図１９】
2011170241.tif 000021